【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
装身具の一部をなす線条に通され、前記装身具の一部とされる装飾体の内部に設けられ、前記線条を把持しこれにより前記装飾体を前記線条上に留め置き、また、前記線条を把持した状態での該線条に対する前記装飾体の相対移動を許す装身具の線条把持機構であって、
前記装飾体は、前記線条把持機構が圧入される周壁に囲まれた貫通孔を有し、また、
前記線条把持機構は、前記線条の挿通を許しかつ前記線条にバネ力を及ぼして前記線条を協働把持するための一対のバネ部材とからなり、
前記バネ部材の各々は、前記貫通孔の長さ方向に沿って一端部と他端部とを有し、前記一端部と他端部が前記周壁に着地した状態で前記線条に向かって突出して相手方のバネ部材との間でバネ力により前記線条を挟持するように構成してある
ことを特徴とする装身具の線条把持機構。
【請求項２】
前記一対のバネ部材は、前記装飾体の貫通孔に沿って伸びる円筒状の本体と、該本体に形成され該本体の軸線に沿って該本体の一端部からその他端部に向けて伸びかつ該他端部に至る前で終わる少なくとも一つの切り込みを境にして前記本体の半径方向外方へ互いに反対に反り返る少なくとも一対の湾曲片部と、前記本体に設けられ該本体の軸線に沿って該本体の他端部からその一端部に向けて伸びかつ該一端部に至る前で終わる少なくとも一つの切り込みを境にして前記本体の半径方向外方へ互いに反対に反り返る少なくとも一対の湾曲片部とを有する
ことを特徴とする請求項１記載の装身具の線条把持機構。
【請求項３】
前記一対のバネ部材は互いに相対するように束ねられた一対の板ばねからなり、
該両板ばねは、それぞれ、一片部と、前記一片部の一端に連なる他片部とを有し、
前記一片部は、前記装飾体の貫通孔に沿って伸びかつ互いに他の一方に向けて湾曲しており、
前記他片部は、前記装飾体の貫通孔と同軸の開口を有し、
両一片部の他端がそれぞれ両他片部の開口に通され、
前記一対の板ばねの他片部のうち、一方が前記一端部として他方が前記他端部として、それぞれ機能する
ことを特徴とする請求項１記載の装身具の線条把持機構。
【請求項４】
貫通孔を備え、
該貫通孔の中に請求項１ないし３の何れかに記載した装身具の線条把持機構を有する
ことを特徴とする装飾体。
【手続補正２】
【補正対象書類名】明細書
【補正対象項目名】０００９
【補正方法】変更
【補正の内容】
【０００９】  請求項１に記載の発明によれば、装身具の線条に通される装飾体に設けられた線条把持機構は、周壁を起点にした一対のバネ部材の協働に係る前記線条の把持（挟持）による前記装飾体の線条上への留め置きと、前記線条を把持した状態での該線条に対する前記装飾体の相対移動とを可能とすることから、前記線条に対する装飾体の留め位置の決定、変更、微調整等は前記装飾体の前記線条に沿った移動と、該移動の停止とにより容易にまた短時間で行うことができる。バネ部材各々は、線条に向かって突出しているので、両者間の距離は線条不在のときに最も近いか、若しくはゼロ（接触した）の状態にある。バネ部材の一端部と他端部のそれぞれが貫通孔周壁に着地しているため、足下が安定した状態の中でしっかりと踏ん張りが効き、その結果、両着地点間の部位（線条に向かって突出する部位）はそのバネ力を確実に線条に伝えることができる。一方、上記突出する部位と貫通孔周壁との間にある隙間（当該部位は貫通孔周壁に着地していない）は、線条が相対移動するときのバネ部材の変形を許すための逃げ空間として機能する。線条が相対移動するときのバネ部材は変形し、この変形は逃げ空間の存在によって許容される。相対移動が停止した時バネ部材は、弾性復帰して線条を挟持する。このような線条に対するバネ力の作用と相対移動の際の変形許容によって、線条に対する装飾体の留め置きと容易かつ短時間の中での相対移動を可能とする。
【手続補正３】
【補正対象書類名】明細書
【補正対象項目名】００１２
【補正方法】変更
【補正の内容】
【００１２】（請求項３に記載の発明の特徴）
請求項３に記載の発明は、請求項１に記載の線条把持機構に係る発明であって、前記一対のバネ部材は互いに相対するように束ねられた一対の板ばねからなり、該両板ばねは、それぞれ、一片部と、前記一片部の一端に連なる他片部とを有し、前記一片部は、前記装飾体の貫通孔に沿って伸びかつ互いに他の一方に向けて湾曲しており、前記他片部は、前記装飾体の貫通孔と同軸の開口を有し、両一片部の他端がそれぞれ両他片部の開口に通され、前記一対の板ばねの他片部のうち、一方が前記一端部として他方が前記他端部として、それぞれ機能することを特徴とする。
【手続補正４】
【補正対象書類名】明細書
【補正対象項目名】００１５
【補正方法】変更
【補正の内容】
【００１５】  請求項４に記載の発明によれば、貫通孔の中に請求項１ないし３の何れかに記載した線条把持機構を有するので、線条に通して装身具を構成したときに、線条に対する装飾体の留め位置の決定、変更、微調整等は前記装飾体の前記線条に沿った移動と、該移動の停止とにより容易にまた短時間で行うことができる。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００２２
【補正方法】変更
【補正の内容】
【００２２】  装飾体５は真珠のような宝石、貴金属製の造形物、ビーズ等からなり、装飾体５の形状は、これが発揮する装飾効果を考慮して、任意に選択される。一例として図１に示す装飾体５は球形状を呈しているが、球形状以外の形状（たとえば、立方形状、円柱形状、さらにこれらに限らず不規則な形状）を呈していてもよい。装飾体５には、線条３が通される貫通孔１１（図３）が設けられている。貫通孔１１の周囲は、周壁１２に囲まれている。
【手続補正８】
【補正対象書類名】明細書
【補正対象項目名】００２５
【補正方法】変更
【補正の内容】
【００２５】図２及び図３を参照しながら、バネ部材１５についてより詳細に説明する。プラスチックの材料、ばね鋼等で形成してあるバネ部材１５は、貫通孔１１の軸線方向に伸びる円筒状の本体２１と、本体２１から伸びる２対の湾曲片部２３，２５とを有する。一対の湾曲片部２３と他の一対の湾曲片部２５とは、それぞれ、本体２１に形成された２つの切り込み２７，２９によって部分的に割られた本体２１の一部を湾曲させてなる。
【手続補正９】
【補正対象書類名】明細書
【補正対象項目名】００２６
【補正方法】変更
【補正の内容】
【００２６】  バネ部材１５の本体２１に形成された両切り込み２７，２９は、それぞれ、本体２１の軸線Ｌ（図２参照）を含みかつ互いに直交する２つの平面（図示せず）内にあって、一方の切り込み２７は本体２１の一端部３１からその他端部３３に向けて伸びかつ他端部３３に至る前で終わり、また、他方の切り込み２９は本体２１の他端部３３からその一端部３１に向けて伸びかつ一端部３１に至る前で終わる。一方の両湾曲片部２３は一方の切り込み２７を境にして本体２１の半径方向外方へ互いに反対に湾曲して反り返り、また、他方の両湾曲片部２５は他方の切り込み２９を境にして本体２１の半径方向外方へ互いに反対に湾曲して反り返っている。反り返った部位が、先に述べた突出部位３２となる。なお、切り込み２７、２９は、本体２１の材質にもよるが、たとえば、それが金属製であるなら、レーザーカットにより行うと効率よく行うことができる。また、バネ部材１５が合成樹脂製なのであれば、全体を射出成形によって製造してもよい。
【手続補正１０】
【補正対象書類名】明細書
【補正対象項目名】００２８
【補正方法】変更
【補正の内容】
【００２８】  貫通孔１１内に配置されたバネ部材１５の各湾曲片部２３，２５は、これらの先端において、広がる方向に働く弾性復元力によって貫通孔１１の周壁１２に押圧着地し、また、本体２１の中間位置（突出部位３２）において線条３の外径より小さい管状の隙間３５を規定する（図３）。各湾曲片部２３，２５の開放先端及び湾曲形状は、線条３の先端の受け入れ及び管状の隙間３５への案内作用をなす。また、両湾曲片部２３，２５は管状の隙間３５において隙間３５を通る線条３に対して前記バネ力すなわち前記把持力を及ぼす。線条３は、これが比較的剛性の高いワイヤーからなるものである場合には、線条３自体を管状の隙間３５に強制的に推し進めることにより、また、比較的剛性が低い糸やひも、チェーンからなるものである場合には例えばこれを針やピンにつなぎ、該針やピンの先導をもとに隙間３５に通すことができる。隙間３５を通る線条３は、隙間３５を規定する２対の湾曲片部２３，２５に隙間３５の径が拡大されるように弾性変形を生じさせる。他方、２対の湾曲片部２３，２５は、これらの弾性変形と同時に、線条３に対してその周囲からバネ力である弾性復帰力、すなわち把持力を及ぼす。なお、図３に示す符号１４は、貫通孔１１の両端を塞いで内部を隠すとともに、貫通孔１１内にある線条把持機構９（バネ部材１５）が抜け出ないようにするためのキャップを示す。キャップ１４には、貫通孔１１と同軸の小径孔１４ｈを形成してある。小径孔１４ｈは、線条３の通過を許すがバネ部材１５の通過を阻止する大きさに形成してある。キャップ１４は、これを装飾体５に接着剤等により固定しておくことが、バネ部材１５の抜け止めのために好ましい。キャップ１４は、周壁１２への着地によってバネ部材１５の抜けが防げるのであれば、これを省略することもできる。
【手続補正１１】
【補正対象書類名】明細書
【補正対象項目名】００３０
【補正方法】変更
【補正の内容】
【００３０】  次に、図５及び図６を参照すると、線条把持機構９の他の例となる線条把持機構９Ｂが示されている。線条把持機構９Ｂは、次に述べるストッパー２３ａ，２５ａを備える点で、それを備えない線条把持機構９（図２及び図３）と異なっている。したがって、ここでは、重複を避けるために両者が異なる点について述べる。なお、両者が共通する部材については、図２及び図３使用した符号を図５及び図６にも使用した。
【手続補正１２】
【補正対象書類名】明細書
【補正対象項目名】００３１
【補正方法】変更
【補正の内容】
【００３１】  線条把持機構９Ｂの湾曲片部２３，２５のそれぞれには、上述したストッパー２３ａ，２５ａを形成してある。ストッパー２３ａ（ストッパー２５ａ）は、湾曲片部２３（湾曲片部２５）の開放端に本体２１の軸線方向とほぼ並行に２本の短尺スリット２３ｓ（短尺スリット２５ｓ）を形成し、両スリット２３ｓ（両スリット２５ｓ）に挟まれた部分を湾曲片部２３（湾曲片部２５）を根元から僅かに外方向に屈曲させた矩形部位のことをいう。ストッパー２３ａ（ストッパー２５ａ）は、図６に示すように、一端部３１と他端部３３の周壁１２への着地とともに周壁１２に食い込んで着地を補助するとともに貫通孔１１からバネ部材１５が抜け出るのを防止する役目を担っている。周壁１２への食い込みは、バネ部材１５（湾曲片部２３，２５）の復元力によって主として行われる。バネ部材１５を貫通孔１１内に圧入後に、適当な道具を用いて湾曲片部２３，２５を周壁１２に押し付けることによりストッパー２３ａ（ストッパー２５ａ）を周壁１２に食い込ませてもよい。ストッパー２３ａ（ストッパー２５ａ）の食い込みが浅いために一端部３１もしくは他端部３３の何れか一方もしくは双方が周壁１２に着地しきれない場合も想定されるが、その場合は、ストッパー２３ａ（ストッパー２５ａ）が一端部３１もしくは他端部３３の代わりに果たすことになる。なお、ストッパー２３ａ（ストッパー２５ａ）は、矩形に形成したが、食い込み易いように周壁に向かって先細りする三角形状（図示を省略）、その他の形状であっても構わない。
【手続補正１３】
【補正対象書類名】明細書
【補正対象項目名】００３２
【補正方法】変更
【補正の内容】
【００３２】（第２の実施形態）
次に、図７を参照する。図７には、非球形の一例としての筒形の装飾体５が示され、また、装飾体５が有する貫通孔１１に配置された線条把持機構９を構成する他の例に係るバネ部材１５が示されている。筒型の装飾体５の表面（外周面）には装飾を目的とする凹凸模様９９が施されている。また、バネ部材１５については、その形状把握の便宜のため、図８及び図９にその全体及び一部の斜視図が示されている。
【手続補正１４】
【補正対象書類名】明細書
【補正対象項目名】００３７
【補正方法】変更
【補正の内容】
【００３７】１  ネックレス
３  線条
５  装飾体
９  線条把持機構
１１  貫通孔
１２  周壁
１５  バネ部材
２３，２５，４１，４３，４５，４７＿  湾曲片部
２７，２９，３７，３９＿  切り込み
３５＿  隙間＿
１０３，１０５  一片部及び他片部
１０６  ストッパー片